(57)【要約】  携帯端末装置は複数のタッチディスプレイと制御部を有している。制御部は、タッチ位置の移動を伴って同時に行われたタッチ操作の個数である同時操作数と、タッチ操作におけるタッチ位置が移動した方向である操作方向とに基づいて、複数のタッチディスプレイに表示された画面を連携制御する。
2012081699.tif 000002
【特許請求の範囲】
【請求項１】
複数のタッチディスプレイと、
タッチ位置の移動を伴って同時に行われたタッチ操作の個数である同時操作数と、前記タッチ操作におけるタッチ位置が移動した方向である操作方向とに基づいて、前記複数のタッチディスプレイに表示された画面を連携制御する制御部と、
を有する携帯端末装置。
【請求項２】
前記制御部は、一連の画面のそれぞれを前記複数のタッチディスプレイに表示している状態で同時に行われた複数のタッチ操作の操作方向が同一であれば、該操作方向に前記同時操作数と同じ画面数だけ、前記複数のタッチディスプレイの画面を移動させる、請求項１に記載の携帯端末装置。
【請求項３】
前記制御部は、前記同時操作数と、同時に行われた複数のタッチ操作が行われたタッチディスプレイと、前記操作方向の相対関係とに基づいて、前記複数のタッチディスプレイの画面を連携制御する、請求項１に記載の携帯端末装置。
【請求項４】
前記制御部は、前記同時操作数が２であり、２つのタッチ操作が異なるタッチディスプレイに対して行われ、２つの前記操作方向が互いに同一直線上になく反対方向であった場合、該タッチ操作が行われた２つのタッチディスプレイの画面を入れ替える、請求項３に記載の携帯端末装置。
【請求項５】
複数のタッチディスプレイを備えた携帯端末装置の表示制御方法であって、
タッチ位置の移動を伴ってタッチ操作が行われると、同時に行われた前記タッチ操作の個数である同時操作数と、前記タッチ操作におけるタッチ位置が移動した方向である操作方向とを測定することと、
該同時操作数と該操作方向に基づいて、前記複数のタッチディスプレイの画面を連携制御することと、
を有する、携帯端末装置の表示制御方法。
【請求項６】
前記連携制御することが、一連の画面のそれぞれを前記複数のタッチディスプレイに表示している状態で同時に行われた複数のタッチ操作の操作方向が同一であれば、該操作方向に前記同時操作数と同じ画面数だけ、前記複数のタッチディスプレイの画面を移動させることを含む、請求項５に記載の携帯端末装置の表示制御方法。
【請求項７】
前記連携制御することが、前記同時操作数と、同時に行われた複数のタッチ操作が行われたタッチディスプレイと、前記操作方向の相対関係とに基づいて、前記複数のタッチディスプレイの画面を連携制御することを含む、請求項５に記載の携帯端末装置の表示制御方法。
【請求項８】
前記同時操作数が２であり、２つのタッチ操作が異なるタッチディスプレイに対して行われ、前記連携制御することが、２つの前記操作方向が互いに同一直線上になく反対方向であった場合、該タッチ操作が行われた２つのタッチディスプレイの画面を入れ替えることを含む、請求項７に記載の携帯端末装置の表示制御方法。
【請求項９】
複数のタッチディスプレイを備えた携帯端末装置の表示制御プログラムであって、
タッチ位置の移動を伴ってタッチ操作が行われると、同時に行われた前記タッチ操作の個数を示す同時操作数情報と、前記タッチ操作におけるタッチ位置が移動した方向を示す操作方向情報とを取得する手順と、
該同時操作数情報と該操作方向情報に基づいて、前記複数のタッチディスプレイの画面を連携制御する手順と、
をコンピュータに実行させるための表示制御プログラム。
【発明の詳細な説明】
【技術分野】
【０００１】
本発明は、複数のタッチディスプレイを備えた携帯端末装置に関し、特に、その表示を制御する方法に関する。
【背景技術】
【０００２】
近年、携帯端末装置に、画面へのタッチによる情報入力を可能にしたタッチディスプレイが採用され、これにより携帯端末装置の使い勝手が向上している。【０００３】
また、携帯端末装置を小型化し、その携帯性およびデザイン性を向上させるために、複数の筐体をヒンジ部で開閉できるように接続した折りたたみ構造の携帯端末装置がある。また、複数の筐体を互いにスライドできるように接続したスライド式の携帯端末装置もある。【０００４】
複数の筐体からなる携帯端末装置としては、複数の筐体のそれぞれにタッチディスプレイを配置したデザインを採用した携帯端末装置が考えられている（特許文献１参照）。特許文献１では、複数のタッチディスプレイの画面を制御するための各種のタッチ操作が提案されている。例えば、各タッチディスプレイに表示された連続する画面をフリック操作によって順次移動させていく画面移動が特許文献１に記載されている。また、あるタッチディスプレイにタップ操作を行い、次に他のタッチディスプレイにタップ操作を行うことによって、それら２つのタッチディスプレイの画面を入れ替える画面入れ替えが特許文献１に記載されている。
【先行技術文献】
【特許文献】
【０００５】
【特許文献１】特開２００９−２１１５４７号公報
【発明の概要】
【発明が解決しようとする課題】
【０００６】
しかしながら、特許文献１に記載された操作方法では、１回の動作で直感的な制御を行えない場合があった。例えば、上述の画面移動によって２画面分を移動させる場合、フリック操作を２回行う必要があった。また、上述の画面入れ替え方法では、２つのタッチディスプレイに対して順番にタップ操作を行うので、２回のタップ操作が必要であった。【０００７】
本発明の目的は、１回の直感的な操作で携帯端末装置の複数のタッチディスプレイの画面を連携制御することを可能にする携帯端末装置、表示制御方法および表示制御プログラムを提供することである。
【課題を解決するための手段】
【０００８】
上記目的を達成するために、本発明の携帯端末装置は、
複数のタッチディスプレイと、
タッチ位置の移動を伴って同時に行われたタッチ操作の個数である同時操作数と、タッチ操作におけるタッチ位置が移動した方向である操作方向とに基づいて、複数のタッチディスプレイに表示された画面を連携制御する制御部と、
を有している。【０００９】
本発明の、携帯端末装置の表示制御方法は、
タッチ位置の移動を伴ってタッチ操作が行われると、同時に行われた前記タッチ操作の個数である同時操作数と、前記タッチ操作におけるタッチ位置が移動した方向である操作方向とを測定することと、
該同時操作数と該操作方向に基づいて、前記複数のタッチディスプレイの画面を連携制御することと、
を有する。【００１０】
本発明の表示制御プログラムは、
タッチ位置の移動を伴ってタッチ操作が行われると、同時に行われた前記タッチ操作の個数を示す同時操作数情報と、前記タッチ操作におけるタッチ位置が移動した方向を示す操作方向情報と、を取得する手順と、
該同時操作数情報と該操作方向情報に基づいて、複数のタッチディスプレイの画面を連携制御する手順と、
をコンピュータに実行させる。
【発明の効果】
【００１１】
本発明によれば、１回の直感的な操作で携帯端末装置の複数のタッチディスプレイの画面を連携制御することが可能になる。
【図面の簡単な説明】
【００１２】
【図１】本発明の一実施形態による携帯端末装置の機能的構成を示す概略ブロック図である。
【図２】図１の携帯端末装置の開いた状態での外観を示す斜視図である。
【図３】図１の携帯端末装置の閉じた状態での外観を示す斜視図である。
【図４】２つのタッチディスプレイの表示を１画面分だけ移動させる様子を示す図である。
【図５】２つのタッチディスプレイの表示を２画面分だけ移動させる様子を示す図である。
【図６Ａ】第１の操作により２つのタッチディスプレイの画面を入れ替える様子を示す図である。
【図６Ｂ】第２の操作により２つのタッチディスプレイの画面を入れ替える様子を示す図である。
【図６Ｃ】第３の操作により２つのタッチディスプレイの画面を入れ替える様子を示す図である。
【図７】３つのタッチディスプレイを備えた携帯端末装置におけるスライド動作の様子を示す図である。
【符号の説明】
【００１３】
１００  携帯端末装置
１００ａ、１００ｂ  筐体
１０１、１０１ａ〜１０１ｃ  タッチディスプレイ
１０２  ヒンジ部
１０３  制御部
【発明を実施するための形態】
【００１４】
本発明の実施の形態について図面を参照して詳細に説明する。
【００１５】
図１に示すように、本発明の一実施形態による携帯端末装置１００は、タッチディスプレイ１０１ａ、１０１ｂと制御部１０３を有している。
【００１６】
また、図２および図３に示すように、本実施形態の携帯端末装置１００は、２つの筐体１００ａ、１００ｂがヒンジ部１０２で開閉可能に接続された折りたたみ構造を有している。筐体１００ａにはタッチディスプレイ１０１ａが搭載され、筐体１００ｂにはタッチディスプレイ１０１ｂが搭載されている。
【００１７】
開いた状態では、ユーザがタッチディスプレイ１０１ａ、１０１ｂを操作することができる。閉じた状態では、タッチディスプレイ１０１ａ、１０１ｂが衝撃から守られると同時に横幅が短くなるので携帯端末装置の可搬性が向上する。
【００１８】
タッチディスプレイ１０１ａ、１０２ｂは、画像やテキストの画面を表示すると共に、ユーザによるタッチ操作を検知し、タッチ位置の情報を出力する表示入力装置である。
【００１９】
制御部１０３は、携帯端末装置１００内の各部（不図示）を制御する制御装置であり、タッチディスプレイ１０１ａ、１０１ｂからのタッチ位置の情報に応じて処理を実行し、タッチディスプレイ１０１ａ、１０１ｂの画面表示を制御する。
【００２０】
制御部１０３は、タッチ位置の移動を伴って同時に行われたタッチ操作の個数である同時操作数の情報と、そのタッチ操作におけるタッチ位置が移動した方向である操作方向の情報をタッチディスプレイ１０１ａ、１０１ｂから取得すると、それらの情報に基づいて、２つのタッチディスプレイ１０１ａ、１０１ｂに表示された画面を連携制御する。なお、複数のタッチ操作が行われる場合として、タッチディスプレイ１０１ａ、１０１ｂのいずれか一方に対して複数のタッチ操作が行われる場合や、タッチディスプレイ１０１ａとタッチディスプレイ１０１ｂの両方に対して１つずつのタッチ操作が行われる場合が含まれる。
【００２１】
これにより、複数のタッチ操作の個数と操作方向に基づいて画面の表示制御が特定されるので、複数のタッチディスプレイ１０１ａ、１０１ｂの画面の連係制御を、ユーザは所望の制御に対応した本数の指による１回の直感的な操作によって実行することができる。
【００２２】
例えば、制御部１０３は、一連の画面のそれぞれを２つのタッチディスプレイ１０１ａ、１０１ｂに表示している状態で同時に複数のタッチ操作が行われると、それら複数のタッチ操作の操作方向が同一であれば、その操作方向に同時操作数と同じ画面数だけ、２つのタッチディスプレイ１０１ａ、１０１ｂの画面を移動させる。タッチディスプレイ１０１ａ、１０１ｂの画面をページ送りするように移動させるこのような動作を以後、「スライド動作」と呼ぶことにする。
【００２３】
これにより、ユーザはフリック操作やドラッグ操作などのタッチ操作を行う指の数で画面の移動量を選択することができるので、１回の直感的な操作で所望の移動量だけ画面を移動させることができる。これは、フリック操作等のタッチ操作が直感的であると共に、画面に触れる指の本数に応じて移動量が決まるという点でも直感的な操作となっている。そのため、所望の移動量の画面移動を行うのにユーザは特別な知識の習得を要しない。
【００２４】
また、制御部１０３は、同時操作数と、同時に行われた複数のタッチ操作が行われたタッチディスプレイ１０１と、それら操作方向の相対関係とに基づいて、２つのタッチディスプレイ１０１ａ、１０１ｂの画面を連携制御することにしてもよい。
【００２５】
これにより、複数のタッチ操作を行ったタッチディスプレイと、タッチ操作の個数と、操作方向の相対関係に基づいて制御が特定されるので、複数のタッチディスプレイ１０１ａ、１０１ｂの画面の連係制御を１回の直感的な操作によって実現することができる。
【００２６】
例えば、制御部１０３は、同時に２つのタッチ操作がタッチディスプレイ１０１ａ、１０１ｂのそれぞれに対して行われ、２つの前記操作方向が互いに同一直線上にない反対方向であった場合、２つのタッチディスプレイ１０１ａ、１０１ｂの画面を入れ替えることにしてもよい。
【００２７】
具体例として、タッチディスプレイ１０１ａに対してタッチディスプレイ１０１ｂに向かう操作方向のフリック操作が行われ、それと同時にタッチディスプレイ１０１ｂに対して、タッチディスプレイ１０１ａ上のフリック操作とは同一直線上に無く、かつタッチディスプレイ１０１ａに向かう操作方向のフリック操作が行われた場合、２つのタッチディスプレイ１０１ａ、１０１ｂの互いに画面が入れ替えられる。
【００２８】
また、他の具体例として、同時に２つのタッチ操作がタッチディスプレイ１０１ａ、１０１ｂのそれぞれに対して行われ、２つの操作方向がタッチディスプレイ１０１ａ、１０１ｂの並び方向に対して垂直であり、かつそれら２つの操作方向が互いに反対方向であった場合、タッチディスプレイ１０１ａ、１０１ｂの画面が互いに入れ替えられる。
【００２９】
これらのようなタッチディスプレイ１０１ａ、１０１ｂの画面を入れ替える動作を以後、「入れ替え動作」と呼ぶことにする。
【００３０】
これらの入れ替え動作により、ユーザは２つのタッチディスプレイ１０１ａ、１０１ｂに対してねじりを加えるようなフリック操作を行うという、１回の直感的な操作で画面の入れ替えを実行することができる。
【００３１】
以下、「スライド動作」と「入れ替え動作」のそれぞれにおける画面の遷移の様子について説明する。
【００３２】
（スライド動作）
図４は、２つのタッチディスプレイの表示を１画面分だけ移動させる様子を示す図である。ここでは、一例として、画面Ｓ１〜画面Ｓ５という一連の画面データがあり、図４（Ａ）の状態は、そのうちの画面Ｓ１がタッチディスプレイ１０１ａに表示され、画面Ｓ２がタッチディスプレイ１０１ｂに表示されている状態であるとする。
【００３３】
図４（Ａ）の状態で、ユーザが１本の指で、タッチディスプレイ１０１ａ、１０１ｂのうちいずれかに対して左方向のフリック操作を行うと、画面Ｓ１〜画面Ｓ５がタッチディスプレイ１０１ａ、１０１ｂに対して左方向に１画面分ずつ順次移動する。その結果、図４（Ｂ）に示しように、画面Ｓ２がタッチディスプレイ１０１ａに表示され、画面Ｓ３がタッチディスプレイ１０１ｂに表示されている状態になる。
【００３４】
一方、図５は、２つのタッチディスプレイの表示を２画面分だけ移動させる様子を示す図である。ここでも、画面Ｓ１〜画面Ｓ５という一連の画面データがあり、図５（Ａ）の状態は、そのうちの画面Ｓ１がタッチディスプレイ１０１ａに表示され、画面Ｓ２がタッチディスプレイ１０１ｂに表示されている状態であるとする。
【００３５】
図５（Ａ）の状態で、ユーザが２本の指で、タッチディスプレイ１０１ａ、１０１ｂのうちいずれかに対して、例えばタッチディスプレイ１０１ａに対して左方向のフリック操作を行うと、画面Ｓ１〜画面Ｓ５がタッチディスプレイ１０１ａ、１０１ｂに対して左方向に２画面分ずつ順次移動する。その結果、図５（Ｂ）に示しように、画面Ｓ３がタッチディスプレイ１０１ａに表示され、画面Ｓ４がタッチディスプレイ１０１ｂに表示されている状態になる。
【００３６】
このように、本実施形態によれば、ユーザは１回の直感的な操作によって所望の画面数分の、画面の移動を実行することができる。また、フリックの強さや移動距離に応じて移動量を変えるものに比べて、ユーザが明示的に指定した分の移動を確実に実行することができる。
【００３７】
なお、ここでは左方向へのフリック操作を例示したが、本発明はこれに限定されるものではない。ユーザが右方向へ所定本数の指でフリック操作を行えば、タッチディスプレイ１０１ａ、１０１ｂの画面が指の数と同数分の移動量で右方向に移動する。
【００３８】
また、ここでは、タッチディスプレイ１０１ａ、１０１ｂのいずれに対するフリック操作でも同じようにタッチディスプレイ１０１ａ、１０１ｂの画面が移動する例を示した。しかし、本発明はこれに限定されるものではない。右側のタッチディスプレイ１０１ｂに対する左方向のフリック操作でタッチディスプレイ１０１ａ、１０１ｂの画面が左方向に連携して移動し、左側のタッチディスプレイ１０１ｂに対する左方向のフリック操作ではそれとは異なる動作を行うことにしてもよい。右側のタッチディスプレイ１０１ｂに対する左方向のフリック操作は、左側のタッチディスプレイ１０１ｂに対する左方向のフリック操作よりも、タッチディスプレイ１０１ａ、１０１ｂの画面が連携して移動することをイメージしやすい。そのため、より直感的な方の操作で連携した移動を実行し、もう一方の操作を他の動作に利用することができる。
【００３９】
なお、ここではスライド動作の例として、１本指でフリック操作を行う場合と、２本指でフリック操作を行う場合について説明した。しかし、本発明がこれらに限定されるものではない。更に、３本指、４本指、あるいは５本指でのフリック操作が行われると、制御部１０３は３画面分、４画面分、あるいは５画面分の画面の移動を実行することにしてもよい。
【００４０】
（入れ替え動作）
入れ替え動作の例として、ユーザが２つのタッチディスプレイ１０１ａ、１０１ｂに対して同時に、互いに同一直線上に無いような反対方向のフリック操作を行ったとき、制御部１０３は、タッチディスプレイ１０１ａの画面とタッチディスプレイ１０１ｂの画面を入れ替える。これはタッチディスプレイ１０１ａ、１０１ｂの画面を入れ替える場合の１回で行う直感的なタッチ操作として幾つかのパターンを想定したものである。このような判断手法により、タッチ操作として様々な操作が用いられたとしても、画面の入れ替えを行うことが可能となっている。
【００４１】
図６Ａは、第１の操作により２つのタッチディスプレイの画面を入れ替える様子を示す図である。ユーザは、タッチディスプレイ１０１ａに対する右方向のフリック操作と、タッチディスプレイ１０１ｂに対する左方向のフリック操作を同時に行っている。そして、それらのフリック操作は同一直線上になく、反対方向でかつ平行あるいはねじれの関係にある。ユーザはこのような１回の直感的なタッチ操作によって画面の入れ替えを行うことができる。
【００４２】
図６Ｂは、第２の操作により２つのタッチディスプレイの画面を入れ替える様子を示す図である。ユーザは、タッチディスプレイ１０１ａに対する下方向のフリック操作と、タッチディスプレイ１０１ｂに対する上方向のフリック操作を同時に行っている。それらのフリック操作は互いに異なるタッチディスプレイ１０１ａ、１０１ｂに対するものなので、同一直線上になく、反対方向でかつ平行あるいはねじれの関係にある。ユーザはこのような１回の直感的なタッチ操作によって画面の入れ替えを行うことができる。
【００４３】
図６Ｃは、第３の操作により２つのタッチディスプレイの画面を入れ替える様子を示す図である。ユーザは、タッチディスプレイ１０１ａに対する上方向のフリック操作と、タッチディスプレイ１０１ｂに対する下方向のフリック操作を同時に行っている。やはり、それらのフリック操作は互いに異なるタッチディスプレイ１０１ａ、１０１ｂに対するものなので、同一直線上になく、反対方向でかつ平行あるいはねじれの関係にある。ユーザはこのような１回の直感的なタッチ操作によって画面の入れ替えを行うことができる。
【００４４】
なお、以上の実施形態では、２つのタッチディスプレイ１０１ａ、１０１ｂを備えた携帯端末装置１００を例示したが、本発明はそれに限定されるものではない。本発明は、３つ以上のタッチディスプレイを備えた携帯端末装置にも適用することができる。
【００４５】
図７は、３つのタッチディスプレイを備えた携帯端末装置におけるスライド動作の様子を示す図である。この３つのタッチディスプレイ１０１ａ〜１０１ｃを有する携帯端末装置１００は、図３に示したものと同様、制御部１０３がタッチディスプレイ１０１ａ〜１０１ｃからのタッチ位置の情報に応じて処理を実行し、タッチディスプレイ１０１ａ〜１０１ｃの画面表示を制御する。
【００４６】
ここでは、一例として、画面Ｓ１〜画面Ｓ６という一連の画面データがあり、図７（Ａ）の状態は、そのうちの画面Ｓ１がタッチディスプレイ１０１ａに表示され、画面Ｓ２がタッチディスプレイ１０１ｂに表示され、画面Ｓ３がタッチディスプレイ１０１ｃに表示されている状態であるとする。
【００４７】
図７（Ａ）の状態で、ユーザが３本の指で、タッチディスプレイ１０１ａ〜１０１ｃのうちいずれかに対して、例えばタッチディスプレイ１０１ａに対して左方向のフリック操作を行うと、画面Ｓ１〜画面Ｓ６がタッチディスプレイ１０１ａ〜１０１ｃに対して左方向に３画面分だけ移動する。その結果、図７（Ｂ）に示しように、画面Ｓ４がタッチディスプレイ１０１ａに表示され、画面Ｓ５がタッチディスプレイ１０１ｂに表示され、画面Ｓ６がタッチディスプレイ１０１ｃに表示されている状態になる。
【００４８】
ここでは３本指のフリック操作によって３画面分だけ画面が移動する例を示した。しかし、本発明はこれに限定されるものではない。同様にして、１本指のフリック操作が行われれば制御部１０３は１画面分だけ画面を移動させる。２本指のフリック操作が行われれば制御部１０３は２画面分だけ画面を移動させる。更には、４本指あるいは５本指のフリック操作が行われれば制御部１０３は４画面分あるいは５画面分だけ画面を移動させることにしてもよい。
【００４９】
なお、上述した各実施形態の携帯端末装置１００の制御部１０３は、その機能を実現するためのプログラムを、コンピュータ読み取り可能な記録媒体に記録して、この記録媒体に記録されたプログラムをコンピュータに読み込ませ、実行するものであってもよい。コンピュータ読み取り可能な記録媒体とは、フレキシブルディスク、光磁気ディスク、ＣＤ−ＲＯＭ等の記録媒体、コンピュータシステムに内蔵されるハードディスク装置等の記憶装置を指す。
【００５０】
以上本発明の好ましい実施形態を特定の用語を用いて説明したが、そのような記載は例示のみを目的としており、種々の変形および修正が以下の特許請求の範囲から外れることなく可能であることが理解されるべきである。
【００５１】
本出願は、２０１０年１２月１７日に出願された日本出願である特願２０１０−２８１８８２を基礎とする優先権を主張し、その開示の全てをここに取り込む。
【図１】
2012081699.tif 000003
【図２】
2012081699.tif 000004
【図３】
2012081699.tif 000005
【図４】
2012081699.tif 000006
【図５】
2012081699.tif 000007
【図６Ａ】
2012081699.tif 000008
【図６Ｂ】
2012081699.tif 000009
【図６Ｃ】
2012081699.tif 000010
【図７】
2012081699.tif 000011
【国際調査報告】
2012081699.tif 000012
2012081699.tif 000013